(57)【特許請求の範囲】
【請求項１】
被膜形成用の液滴を対象物へ向けて噴射又は滴下する液滴供給手段と、
前記液滴供給手段から前記対象物へ向かう液滴に接触させる活性種を供給する活性種供給手段とを備え、
前記活性種を接触させた液滴により前記対象物の表面に被膜を形成し、
前記液滴供給手段が噴射又は滴下する液滴には、有機溶媒が含まれる一方、
前記活性種供給手段は、前記液滴供給手段から前記対象物へ向かう液滴に接触させる活性種を供給する第１供給部と、気化した液滴から発生するガスに活性種を供給する第２供給部とを備えている
ことを特徴とする被膜形成装置。
【請求項２】
請求項１に記載の被膜形成装置において、
前記活性種供給手段は、プラズマを生成し、該プラズマにより生成された活性種を前記液滴に接触させる
ことを特徴とする被膜形成装置。
【請求項３】
請求項２に記載の被膜形成装置において、
前記活性種供給手段は、前記液滴が前記液滴供給手段から前記対象物へ向かって移動する移動経路の外側でプラズマを生成し、該プラズマにより生成された活性種を含む活性種含有ガスを前記移動経路へ供給する
ことを特徴とする被膜形成装置。
【請求項４】
請求項３に記載の被膜形成装置において、
前記活性種供給手段がプラズマを生成するプラズマ生成室を内部に形成し、該プラズマ生成室から前記移動経路へ供給する前記活性種含有ガスを吹き出すための吹出口が形成された区画部材を備えている
ことを特徴とする被膜形成装置。
【請求項５】
請求項４に記載の被膜形成装置において、
前記対象物へ向かう液滴が前記吹出口を通って前記プラズマ生成室へ侵入することを防止する侵入防止手段を備えている
ことを特徴とする被膜形成装置。
【請求項６】
請求項１乃至５の何れか１つに記載の被膜形成  装置において、
前記液滴供給手段は、前記対象物に向けて液滴を噴射し、
前記活性種供給手段は、前記液滴供給手段から噴射された液滴に活性種を接触させて該液滴を微粒化する
ことを特徴とする被膜形成装置。
【請求項７】
請求項６に記載の被膜形成装置において、
前記活性種供給手段が活性種の生成に投入する単位時間当たりのエネルギーを制御することより、前記活性種により微粒化させた後の液滴の大きさを制御する制御手段を備えている
ことを特徴とする被膜形成装置。
【請求項８】
請求項１に記載の被膜形成装置において、
前記第２供給部は、前記対象物において液滴が付着した領域の近傍に活性種を供給する
ことを特徴とする被膜形成装置。
【請求項９】
請求項６又は７に記載の被膜形成装置において、
前記液滴供給手段が噴射する液滴には、有機溶媒が含まれる一方、
前記活性種供給手段は、前記液滴供給手段から前記対象物へ向かう液滴に接触させる活性種を供給する第１供給部と、前記対象物において反射した液滴に活性種を接触させる第２供給部とを備えている
ことを特徴とする被膜形成装置。
【発明の詳細な説明】
【技術分野】
【０００１】
本発明は、塗装被膜等の被膜を対象物の表面に形成する被膜形成装置に関する。
【背景技術】
【０００２】
従来から、対象物の表面に被膜を形成する被膜形成装置が知られている。被膜形成装置としては、対象物の表面を塗装する塗装装置や、対象物の表面に保護層等を形成するコーティング装置などがある。【０００３】
特許文献１には、静電塗装装置が記載されている。この静電塗装装置は、静電塗装装置自体や静電塗装装置の周囲への帯電塗粒の付着を低減することができる。特許文献２には、回転霧化塗装装置が記載されている。この回転霧化塗装装置では、回転霧化頭と被塗装物との間の電位差に応じて塗料を被塗装物に静電吸着させる。
【先行技術文献】
【特許文献】
【０００４】
【特許文献１】特開平１０−５７８４８号公報
【特許文献２】実開平３−７５８５６号公報
【発明の開示】
【発明が解決しようとする課題】
【０００５】
ところで、この種の被膜形成装置では、対象物の表面における液滴の付着性を高めることが求められている。例えば、塗装装置では、塗料液滴が対象物で反射するなど、塗装に寄与しない塗料液滴が比較的多く、多くの塗料を噴射する必要がある。【０００６】
本発明は、かかる点に鑑みてなされたものであり、その目的は、対象物の表面に被膜を形成する被膜形成装置において、対象物の表面における液滴の付着性を向上させることにある。
【課題を解決するための手段】
【０００７】
第１の発明は、被膜形成用の液滴を対象物へ向けて噴射又は滴下する液滴供給手段と、前記液滴供給手段から前記対象物へ向かう液滴に接触させる活性種を供給する活性種供給手段とを備え、前記活性種を接触させた液滴により前記対象物の表面に被膜を形成する被膜形成装置である。【０００８】
第１の発明では、対象物へ向かう液滴に活性種が接触する。そうすると、液滴の表面は、化学組成が変化し、表面張力及び粘性が低下する。液滴の表面は改質される。対象物には、表面張力及び粘性が低下した液滴が付着し、その液滴が被膜となる。【０００９】
第２の発明は、第１の発明において、前記活性種供給手段が、前記液滴供給手段から前記対象物へ向かう液滴に接触させる活性種を供給する第１供給部と、前記活性種を接触させた液滴が付着する前の前記対象物の表面に活性種を接触させる第２供給部とを備えている。【００１０】
第２の発明では、第１供給部が、対象物に付着する前の液滴の表面張力及び粘性を低下させる。一方、第２供給部は、液滴が付着する前の対象物の表面に活性種を接触させ、対象物の表面の親水性を向上させる。第２の発明では、活性種により表面張力及び粘性が低下した液滴が、活性種により親水性を向上させた対象物の表面に付着する。【００１１】
第３の発明は、第１又は第２の発明において、前記活性種供給手段が、プラズマを生成し、該プラズマにより生成された活性種を前記液滴に接触させる。【００１２】
第３の発明では、液滴の表面張力及び粘性を低下させるための活性種がプラズマにより生成される。【００１３】
第４の発明は、第３の発明において、前記活性種供給手段が、前記液滴が前記液滴供給手段から前記対象物へ向かって移動する移動経路の外側でプラズマを生成し、該プラズマにより生成された活性種を含む活性種含有ガスを前記移動経路へ供給する。【００１４】
第４の発明では、移動経路の外側でプラズマを生成するので、移動経路の液滴がプラズマに接触しない。【００１５】
第５の発明は、第４の発明において、前記活性種供給手段がプラズマを生成するプラズマ生成室を内部に形成し、該プラズマ生成室から前記移動経路へ供給する前記活性種含有ガスを吹き出すための吹出口が形成された区画部材を備えている。【００１６】
第５の発明では、区画部材により形成されたプラズマ生成室でプラズマが生成される。プラズマにより生成された活性種を含む活性種含有ガスは、区画部材の吹出口から移動経路へ吹き出される。【００１７】
第６の発明は、第５の発明において、前記対象物へ向かう液滴が前記吹出口を通って前記プラズマ生成室へ侵入することを防止する侵入防止手段を備えている。【００１８】
第６の発明では、侵入防止手段により、プラズマ生成室に液滴が侵入することが防止される。【００１９】
第７の発明は、第１乃至第６の何れか１つの発明において、前記液滴供給手段が、前記対象物に向けて液滴を噴射し、前記活性種供給手段が、前記液滴供給手段から噴射された液滴に活性種を接触させて該液滴を微粒化する。【００２０】
第７の発明では、活性種により微粒化された液滴が対象物の表面に付着し、その液滴が被膜となる。【００２１】
第８の発明は、第７の発明において、前記活性種供給手段が活性種の生成に投入する単位時間当たりのエネルギーを制御することより、前記活性種により微粒化させた後の液滴の大きさを制御する制御手段を備えている。【００２２】
第８の発明では、活性種の生成に投入する単位時間当たりのエネルギーを制御して、微粒化後の液滴の大きさを制御する。【００２３】
第９の発明は、第１乃至第８の何れか１つの発明において、前記液滴供給手段が噴射又は滴下する液滴には、有機溶媒が含まれる一方、前記活性種供給手段は、前記液滴供給手段から前記対象物へ向かう液滴に接触させる活性種を供給する第１供給部と、気化した液滴から発生するガスに活性種を供給する第２供給部とを備えている。【００２４】
第９の発明では、液滴に有機溶媒が含まれているので、液滴の気化により有毒ガスが発生する。第２供給部は、気化した液滴から発生するガスに活性種を供給し、有毒成分を分解する。【００２５】
第１０の発明は、第９の発明において、前記第２供給部が、前記対象物において液滴が付着した領域の近傍に活性種を供給する。【００２６】
第１０の発明では、有毒成分の濃度が高い領域に活性種が供給される。【００２７】
第１１の発明は、第７又は第８の発明において、前記液滴供給手段が噴射する液滴には、有機溶媒が含まれる一方、前記活性種供給手段は、前記液滴供給手段から前記対象物へ向かう液滴に接触させる活性種を供給する第１供給部と、前記対象物において反射した液滴に活性種を接触させる第２供給部とを備えている。【００２８】
第１１の発明では、対象物において反射した液滴に活性種を接触させる。従って、液滴に含まれる有機溶媒が直接分解される。【００２９】
第１２の発明は、第１乃至第６の何れか１つの発明において、前記液滴供給手段は、液滴を滴下し、前記液滴が付着した対象物を回転させることにより、前記液滴を広げて被膜を形成する。【００３０】
第１２の発明では、液滴供給手段が、例えばコート剤の液滴を滴下する。そして、その液滴が付着した対象物を回転させる。そうすると、液滴が広がり被膜が形成される。【００３１】
第１３の発明は、被膜形成用の液滴を対象物へ向けて噴射又は滴下し、前記対象物へ向かう液滴に活性種を接触させて前記対象物に付着させる付着ステップを備えている被膜形成物の製造方法である。【００３２】
第１３の発明では、対象物へ向かう液滴に活性種が接触する。そうすると、液滴の表面では、化学組成が変化し、表面張力及び粘性が低下する。対象物には、表面張力及び粘性が低下した液滴が付着し、その液滴が被膜となる。
【発明の効果】
【００３３】
本発明では、表面張力及び粘性が低下した液滴を対象物に付着させるので、対象物の表面における液滴の付着性を向上させることができる。従って、被膜形成装置が例えば塗装装置の場合は、対象物に付着しない塗料液滴が減少するので、塗料の使用量を低減させることができる。【００３４】
また、第２の発明では、活性種により表面張力及び粘性が低下した液滴が、活性種により親水性を向上させた対象物の表面に付着する。従って、対象物の表面における液滴の付着性をさらに向上させることができる。【００３５】
また、第４の発明では、移動経路の液滴がプラズマに接触しないので、液滴に可燃性の物質が含まれる場合に液滴が燃えることを防止することができる。【００３６】
また、第６の発明では、プラズマ生成室に液滴が侵入しないので、液滴に可燃性の物質が含まれる場合に液滴が燃えることを確実に防止することができる。【００３７】
また、第７の発明では、活性種により微粒化された液滴が対象物の表面に付着するので、例えば塗装の場合に、塗装の仕上がりを良好にすることができる。また、噴射する塗料の生成に有機溶媒を使用する場合は、その有機溶媒の使用量を低減させることが可能になるので、揮発性有機化合物（ＶＯＣ）の発生量を低減することができる。【００３８】
また、第８の発明では、微粒化後の液滴の大きさを電気的に制御できるので、使用する溶媒や対象物等に応じて、微粒化後の液滴の大きさを調節することができる。【００３９】
また、第１０の発明では、有毒成分の濃度が高い領域に活性種を供給するので、高いエネルギー効率で有毒成分を分解することができる。【００４０】
また、第１１の発明では、対象物において反射した液滴に活性種を接触させて、有機溶媒を直接分解するので、高いエネルギー効率で有毒成分を分解することができる。
【図面の簡単な説明】
【００４１】
【図１】図１は、実施形態１に係る塗装装置の概略構成図である。
【図２】図２は、実施形態１に係るプラズマ生成器のブロック図である。
【図３】図３は、実施形態１に係る放電電極部の概略構成図である。
【図４】図４は、実施形態１の変形例１に係る塗装装置の概略構成図である。
【図５】図５は、実施形態２に係るコーティング装置の概略構成図であり、（Ａ）は前処理部の概略構成図であり、（Ｂ）はコーティング部においてコーティング剤の液滴をプラズマ処理している状態の概略構成図であり、（Ｃ）は、コーティング部において回転台を回転させている状態の概略構成図である。
【図６】図６は、実施形態３に係るコーティング装置の概略構成図である。
【発明を実施するための形態】
【００４２】
以下、本発明の実施形態を図面に基づいて詳細に説明する。なお、以下の実施形態は、本質的に好ましい例示であって、本発明、その適用物、あるいはその用途の範囲を制限することを意図するものではない。
＜実施形態１＞
【００４３】
本実施形態１は、本発明に係る被膜形成装置１００により構成された塗装装置１００である。塗装装置１００は、本発明の一例である。塗装装置１００は、図１に示すように、被塗装物１１６（対象物）を塗装するための液体塗料を噴射するスプレーガン１１０と、そのスプレーガン１１０に取付けられたプラズマ生成器１２０とを備えている。液体塗料には有機溶媒が含まれている。
【００４４】
スプレーガン１１０は、被膜形成用の液滴を被塗装物１１６へ向けて噴射する液滴供給手段を構成している。スプレーガン１１０は、一般的なエア霧化式のものである。スプレーガン１１０は、全体としてピストル型をした本体部１１１と、その本体部１１１に取り付けられたノズル部１１２とを備えている。本体部１１１の内部には、圧縮空気をノズル部１１２の空気噴射孔へ供給するための圧縮空気流路と、塗料をノズル部１１２の塗料噴射孔へ供給するための塗料流路とが形成されている（図示省略）。本体部１１１には、圧縮空気流路を開閉する空気弁１１３と、塗料流路を開閉するニードル弁１１４とが設けられている。空気弁１１３及びニードル弁１１４は、操作しなければノズル部１１２を閉状態に保持する。ニードル弁１１４は、ノズル部１１２を直接的に開閉駆動する。
【００４５】
本体部１１１には、空気弁１１３及びニードル弁１１４に係合された引き金１１５が取り付けられている。使用者が引き金１１５を引くと、引き金１１５に加えられた力が空気弁１１３及びニードル弁１１４に作用し、空気弁１１３及びニードル弁１１４が開状態になる。
【００４６】
ノズル部１１２には、上述の塗料噴射孔及び空気噴射孔が設けられている。塗料噴射孔は、ノズル部１１２の中央付近に形成されている。空気噴射孔は、塗料噴射孔を挟むように複数形成されている。各空気噴射孔における圧縮空気の噴射方向は、ノズル部１１２の中心から被塗装物１１６へ向かって延びる中心線上において、各空気噴射孔から噴射された圧縮空気が、所定角度をもって衝突するように設定されている。圧縮空気はノズル部１２０の近傍で衝突する。ノズル部１１２の中心線では、各空気噴射孔から噴射された圧縮空気が連続して衝突し、衝突後の空気が外部に向かって扇状に広がる。圧縮空気の流れにより、塗料噴射孔から噴射された塗料は、圧縮空気に吸い込まれて霧化し、対向位置にある被塗装物１１６に向かって、側方から見て扇状の範囲１１７を飛散する。空気弁１１３及びニードル弁１１４が開状態になると、圧縮空気によって霧化された塗料が、被塗装物１１６に向かって飛散する。
【００４７】
プラズマ生成器１２０は、スプレーガン１１０から被塗装物１１６へ向かう液滴に接触させる活性種を供給する活性種供給手段を構成している。プラズマ生成器１２０は、プラズマを生成し、そのプラズマにより生成された活性種を液滴に接触させる。プラズマ生成器１２０は、液滴に活性種を接触させて該液滴を微粒化する。プラズマ生成器１２０は、給電装置１２１とアーム１２２と放電電極部１２３と操作スイッチ１２４とを備えている。
【００４８】
給電装置１２１は、スプレーガン１１０の本体部１１１に取付けられている。アーム１２２は、給電装置１２１から塗料の噴射方向に延びている。放電電極部１２３は、アーム１２２の給電装置１２１とは反対側の端部に接続されている。操作スイッチ１２４は、引き金１１５の操作に応答して操作信号を給電装置１２１へ出力する。
【００４９】
本実施形態では、プラズマ生成器１２０が、液滴がスプレーガン１１０から被塗装物１１６へ向かって移動する移動経路の外側でプラズマを生成して、該プラズマにより生成された活性種を含む活性種含有ガスを移動経路へ供給する。プラズマ生成器１２０では、液滴の飛散範囲１１７におけるノズル部１１２の近傍に活性種を供給できるように、放電電極部１２３が配置されている。プラズマ生成器１２０により処理された化学成分がスプレーガン１１０により噴射された塗料の流線上に位置するように、放電電極部１２３は配置されている。
【００５０】
図２に示すように、給電装置１２１は、放電電極部１２３に直流パルス電圧を印加する第１電源部１３０と、放電電極部１２３に電磁波を供給する第２電源部１４０と、第１電源部１３０、第２電源部１４０及び操作スイッチ１２４に制御信号を出力する制御部１５０とを有する。
【００５１】
第１電源部１３０は、制御部１５０からの第１制御信号を受けて高電圧パルスを出力する。第１電源部１３０は、例えば、火花式内燃機関用の点火コイルである。第１電源部１３０は、図２に示すように、昇圧スイッチ１３１と昇圧コイル１３２と整流器１３３とを備えている。昇圧スイッチ１３１は、ｎｐｎ型トランジスタにより構成されている。昇圧スイッチ１３１は、ベースが制御部１５０に接続され、エミッタが接地されている。昇圧コイル１３２は、一次側の端子が二手に分岐し、その一方が外部の直流電源に接続され、他方が昇圧スイッチ１３１のコレクタに接続されている。整流器１３３は、昇圧コイル１３２の二次側に接続されている。第１電源部１３０では、第１制御信号が昇圧スイッチ１３１のベースに印加されると、昇圧コイル１３２の一次側に電流が流れる。昇圧コイル１３２では、磁場が変化し、一次側に電荷が蓄積される。この状態で、第１制御信号の印加を終了させると、電荷が昇圧コイル１３２の二次側に流入し、その二次側から高電圧パルスが放電電極部１２３へ出力される。
【００５２】
第２電源部１４０は、制御部１５０からの第２制御信号を受けてパルス状の電磁波（例えば、マイクロ波）を出力する。第２電源部１４０は、パルス電源部１４１と発振器１４２とを備えている。パルス電源部１４１は、制御部１５０から出力された第２制御信号に応答して、外部電源から印加された電流を直流パルスに変換する。発振器１４２は、パルス電源部１４１から電力の供給を受けて、所定周波数の電磁波を発生する。発振器１４２は、例えばマグネトロンである。なお、発振器１４２は、帰還型、弛緩型のいずれであってもよい。パルス電源部１４１は、使用する発振器１４２に応じて適宜選択すればよい。
【００５３】
第２電源部１４０では、制御部１５０から第２制御信号が印加されると、パルス電源部１４１が発振器１４２への電力供給を開始する。発振器１４２は、この電力を受けて、電磁波を出力する。そして、第２制御信号の印加が終了すると、給電装置１２１は電力供給を終了し、発振器１４２は電磁波の出力を終了する。
【００５４】
なお、第２電源部１４０による電磁波の発振は、連続発振（ＣＷ発振）であってもよいし、１００ナノ秒から１００ミリ秒程度の周期の断続発振（パルス発振）であってもよい。パルス発振の場合、電磁波パルスの周期は、第２電源部１４０の回路構成により予め設定してもよいし、制御部１５０からの第２制御信号に応じて適宜設定してもよい。
【００５５】
制御部１５０は、操作スイッチ１２４から入力された操作信号に応答して、予め定められたタイミングで第１電源部１３０及び第２電源部に制御信号を出力する。第１電源部１３０に対する第１制御信号は、所定の時間に亘って持続する正論理のＴＴＬ信号である。第２電源部１４０に対する第２制御信号は、第２電源部の動作の開始信号及び終了信号である。第２制御信号は、第２電源部１４０の出力レベルの指定信号や、周波数の指定信号を含んでもよい。これらの指定信号は、発振器１４２の種類に応じて、適宜採用すればよい。
【００５６】
制御部１５０の各機能は、いずれもコンピュータハードウェアと、そのコンピュータハードウェア上で実行されるプログラムと、コンピュータハードウェアにより読出又は書込可能なデータとにより実現される。これら各機能及び動作は、プログラムにより実現される。
【００５７】
アーム１２２は、第１電源部１３０から出力された高電圧パルスを放電電極部１２３へ供給するための第１伝送路と、第２電源部１４０から出力された電磁波を放電電極部１２３へ供給するための第２伝送路とを内蔵している（図示省略）。
【００５８】
放電電極部１２３は、図３に示すように、火花点火式の内燃機関に用いる点火プラグを改造したものである。放電電極部１２３は、陰極１６１（中心電極）と碍子１６２と陽極１６３とを有する。
【００５９】
陰極１６１は、概ね棒状の導電体からなり、その一端が第１伝送路に接続されている。碍子１６２は、筒状の絶縁体であり、その内側に陰極１６１が埋設されている。陽極１６３は、ともに導電体により構成されたボディ１６４とキャップ１６５とを有する。
【００６０】
ボディ１６４は、略筒状に形成され、その内側に碍子１６２が嵌め込まれている。キャップ１６５は、開口１６６が形成された底面により一端（先端）が塞がれた略円筒状に形成されている。開口１６６は、キャップ１６５の内側空間で生成された活性種を含む活性種含有ガスを外側空間へ吹き出すための吹出口１６６として機能する。
【００６１】
キャップ１６５は、放電電極部１２３がプラズマを生成するプラズマ生成室を内部に形成し、該プラズマ生成室から移動経路へ供給する活性種含有ガスを吹き出すための吹出口１６６が形成された区画部材を構成している。なお、キャップ１６５に、液滴が吹出口１６６を通ってプラズマ生成室へ侵入することを防止する侵入防止手段（例えば、メッシュ部材）を設けてもよい。
【００６２】
キャップ１６５は、先端に近づくに従って窄まっている。キャップ１６５は、その基端側の内周面がボディ１６４の外周面に螺合され、陰極１６１の先端を囲んでいる。キャップ１６５では、先端の底面の吹出口１６６を介して、内側空間と外側空間とが連通する。キャップ１６５では、吹出口１６６の外縁付近で、陰極１６１との絶縁距離が最短となる。キャップ１６５では、吹出口１６６の周囲の部材が、吹出口１６６に近づくに従って肉薄になっている。キャップ１６５には、外部のガスを内側空間へ導入するための開閉自在の導入孔１６７が設けられている。
【００６３】
放電電極部１２３は、さらに、第２伝送路の一部を構成する電磁波伝送部１６８と、電磁波伝送部１６８に接続されたアンテナ１６９とを備えている。電磁波伝送部１６８は、同軸線路により構成され、ボディ１６４を貫通している。アンテナ１６９は、ボディ１６４の先端面から突出し、陰極１６１の先端を囲うように屈曲している。アンテナ１６９は、キャップ１６５内に収容されている。
【００６４】
放電電極部１２３では、高電圧パルスを受けると、陰極１６１と陽極１６３との間の放電ギャップにおいて、絶縁破壊により放電プラズマが生じる。そして、放電プラズマが存在している期間に、放電電極部１２３が電磁波を受けると、アンテナ１６９からキャップ内に電磁波が放射され、電磁波のエネルギーが放電プラズマの荷電粒子に与えられる。荷電粒子（特に自由電子）は、電磁波のエネルギーを受けて加速され、他の物質に衝突して電離させる。電離により生じた荷電粒子もまた電磁波のエネルギーを受けて加速され、他の物質を電離させる。放電プラズマの領域は、この連鎖により拡大し、放電プラズマは比較的大きな電磁波プラズマ（マイクロ波プラズマ）となる。
【００６５】
プラズマ生成器１２０により電磁波プラズマが生成されると、反応性が高いイオンやラジカル（例えば、酸素ラジカル、ヒドロキシラジカル）などの活性種が生成される。イオンやラジカルは、電子と再結合するが、その結果生じた分子の中にも、反応性の高い化学成分（例えば、オゾン）が含まれる。
【００６６】
導入孔１６７を閉じた状態で、アンテナ１６９からの電磁波の放射を継続すると、電磁波エネルギーにより、キャップ１６５内の温度及び圧力が上昇する。その結果、キャップ１６５の内外で圧力差が生じ、キャップ１６５内の活性種を含む活性種含有ガスが吹出口１６６から外部へ噴出する。
【００６７】
本実施形態では、プラズマが吹出口１６６からキャップ１６５の外部へ噴射されないように、アンテナ１６９から放射される単位時間当たりの電磁波のエネルギーの大きさ、及びキャップ１６５の大きさが設定されている。これにより、可燃性の塗料液滴がプラズマに接触して燃焼することを防止することができる。
【００６８】
なお、塗料に可燃性の物質が含まれない場合は、ラジカルだけでなく、プラズマも吹出口１６６から噴射するように、アンテナ１６９から放射される単位時間当たりの電磁波のエネルギーの大きさ、及びキャップ１６５の大きさを設定してもよい。また、アンテナ１６９から放射される単位時間当たりの電磁波のエネルギーの大きさを変化させることにより、プラズマの噴出量、プラズマの噴出時間、及びプラズマの温度を調整することが可能である。そのため、キャップ１６５及びその吹出口１６６付近の部材形状に応じて、プラズマ処理されたガスの領域の形状を調整できる。また、塗料液滴への作用の強弱、タイミング、規模等を調整することもできる。
【００６９】
また、制御部１５０は、プラズマ生成器１２０が活性種の生成に投入する単位時間当たりの電磁波エネルギーの大きさを制御することより、活性種により微粒化させた後の液滴の大きさを制御してもよい。その場合、例えば、微粒化後の平均粒径の目標値に応じて、活性種の生成に投入する単位時間当たりの電磁波エネルギーの大きさを制御する。
−塗装装置の動作−
【００７０】
塗装装置１００は、塗装被膜形成用の塗料液滴を被塗装物１１６へ向けて噴射し、被塗装物１１６へ向かう塗料液滴に活性種を接触させて被塗装物１１６に付着させる付着ステップを行う。塗装被膜が形成された被膜形成物は、被塗装物１１６の形状加工後に、付着ステップが行われて、その後乾燥ステップなどを経て製造される。以下では、付着ステップについて詳述する。
【００７１】
付着ステップでは、引き金１１５が引かれると、スプレーガン１１０が塗料を噴射し、プラズマ生成器１２０がキャップ１６５内において電磁波プラズマを生成する。キャップ１６５の吹出口１６６からは、活性種含有ガスが、スプレーガン１１０から噴射された塗料の流線上へ向けて噴出される。スプレーガン１１０から噴射した塗料は、空中を飛行し、活性種含有ガスが存在する活性種領域１１８に飛来する。
【００７２】
活性種領域１１８では、塗料の液滴が、電子やイオン等の荷電粒子に衝突する。塗料の液滴では、荷電粒子と接触した部分の化学組成が変化する。また、塗料の液滴表面に活性種が、直接化学的に作用し、塗料液滴の表面の分子組成に変化を与える。具体的に、活性種は、塗料液滴の表面の分子を酸化する。塗料液滴中の有機溶媒は、軽質化（低分子量化）する。炭化水素系の溶媒は、一般的に分子量が小さいものほど分子間力が低いため、表面張力及び粘性が低下する。また、塗料液滴の表面の分子は、酸化力の高い化学種と接触すると帯電する。これにより、塗料液滴の表面に極性が生じ、表面張力が変化する。また、塗料液滴の表面は、加熱されることによっても表面張力が低下する。塗料液滴の表面張力が低下すると、実質的にはウェーバ数が低下することとなる。自由表面の変形が容易になり、塗料液滴が微粒化する。微粒化された塗料液滴は、活性種領域１１８を通過し、最終的に被塗装物１１６に付着する。被塗装物１１６には塗装被膜が形成される。
−実施形態１の効果−
【００７３】
本実施形態１では、表面張力及び粘性が低下した塗料液滴を被塗装物１１６に付着させるので、被塗装物１１６の表面における塗料液滴の付着性を向上させることができる。従って、被塗装物１１６に付着しない塗料液滴が減少するので、塗料の使用量を低減させることができる。
【００７４】
また、本実施形態１では、活性種により微粒化された塗料液滴が対象物の表面に付着するので、塗装の仕上がりを良好にすることができる。
【００７５】
ここで、高圧噴射式の塗料噴射装置や、エア霧化式又は二流体ノズル式の塗料噴射装は、塗料のノズル詰まり等により、微粒化不良が生じる場合がある。このような事態を回避するために、塗料を希釈したり、塗料の噴射圧を高めたりする場合がある。しかし、塗料の希釈には一般に有機溶媒が用いられるので、揮発性有機化合物の排出量の増大を招く。また、噴射圧を高める措置は、ノズルと塗料との激しい摩擦を招き、ノズルの損耗を早め、結果として微粒化不良を助長する虞がある。
【００７６】
それに対して、本実施形態１では、そのような事をしなくても、塗料を微粒化させることができる。従って、噴射圧の高圧化や塗液の希釈に伴う問題を回避できる。実施形態１では、スプレーガン１１０だけで、塗料液滴を目標粒径まで微粒化する必要がない。従って、希釈に要する有機溶媒の量を低減できる。また、塗料噴射孔の口径もそれほど小径化する必要がなく、ノズル詰まりを抑制できる。また、圧縮空気の噴射圧をそれほど高圧化する必要がなく、スプレーガン自体の設計上の要求を緩和させることができる。
【００７７】
また、本実施形態１では、移動経路の塗料液滴がプラズマに接触しないので、塗料液滴が燃えることを防止することができる。
−実施形態１の変形例１−
【００７８】
変形例１では、被塗装物１１６で反射したり、被塗装物１１６付近で巻き上げられたり、またはスプレーガン１１０から垂れたりする塗装に寄与しない塗料液滴の流路上に、活性種含有ガスを供給する。
【００７９】
図４に示すように、塗装装置２００は、図１に示す塗装装置１００に、補助プラズマ生成器２２０を追加した構成となっている。プラズマ生成器１２０は、スプレーガン１１０から被塗装物１１６へ向かう液滴に接触させる活性種を供給する第１供給部を構成し、補助プラズマ生成器２２０は、被塗装物１１６で反射した液滴に活性種を接触させる第２供給部を構成している。
【００８０】
プラズマ生成器１２０は、いずれも前記実施形態と同様の給電装置１２１、アーム１２２、及び放電電極部１２３を有している。塗装装置２００では、補助プラズマ生成器２２０が、スプレーガン１１０のノズル部１１２の鉛直下方に配置される。補助プラズマ生成器２２０は、被塗装物１１６から跳ね返り、または気流の影響で被塗装物１１６から離れる塗料液滴の流線上に活性種含有ガスを供給する。そして、その活性種含有ガスにより、被塗装物１１６に付着することなく落下する塗料液滴が酸化処理される。
【００８１】
このような塗料液滴の処理では、塗料液滴の全量を蒸発させて浄化してもよいし、溶媒を選択的に蒸発させて塗料の色素成分を凝固させて貫通落下させてもよい。いずれの場合においても、溶媒中の環境汚染物質の回収が容易になる。
【００８２】
なお、補助プラズマ生成器２２０は、スプレーガン１１０とは別体であってもよい。例えば、塗装ブースの壁面、天井、床等に補助プラズマ生成器２２０を配置してもよい。
−実施形態１の変形例２−
【００８３】
変形例２では、変形例１とは異なり、補助プラズマ生成器２２０が、気化した塗料液滴から発生するＶＯＣガスに活性種を供給する。補助プラズマ生成器２２０は、ＶＯＣガスの濃度が高い領域、具体的に、被塗装物１１６において液滴が付着した領域の近傍に活性種を供給する。補助プラズマ生成器２２０は、塗料が被塗装物１１６に付着した後に被塗装物１１６の表面に活性種含有ガスを供給する。被塗装物１１６の表面において塗装が行われた部分の軌跡に追従するように、補助プラズマ生成器２２０を移動させて活性種含有ガスの供給先を変化させる。変形例２では、有毒成分の濃度が高い領域に活性種を供給するので、高いエネルギー効率で有毒成分を分解することができる。
【００８４】
なお、補助プラズマ生成器２２０により被塗装物１１６の表面を速やかに乾燥させ、乾燥により蒸発した高濃度の溶媒成分を分解浄化することも可能である。  
−実施形態１の変形例３−
【００８５】
変形例３では、変形例１とは異なり、補助プラズマ生成器２２０が、活性種を接触させた液滴が付着する前の被塗装物１１６の表面に活性種を接触させる。活性種含有ガスの供給を塗料液滴の到達に先んじて行う。変形例３によれば、被塗装物１１６の表面を改質し、塗料の付着性をさらに向上させるができる。
＜実施形態２＞
【００８６】
実施形態２は、本発明に係る被膜形成装置１００により構成されたコーティング装置３０である。コーティング装置３０は、例えばポリカーボネイドの樹脂等の表面のコーティングに使用される。
【００８７】
コーティング装置３０は、図５に示すように、前処理部４１とコーティング部４２とを備えている。コーティング装置３０は、前処理部４１により基板３３の上面をプラズマにより表面改質した後に、コーティング部４２により基板３３の上面にコーティング層３７（被膜）を形成するように構成されている。
【００８８】
前処理部４１は、図５（Ａ）に示すように、プラズマ噴射器３１と駆動アーム３２と載置台３４とを備えている。プラズマ噴射器３１は、例えばプラズマトーチである。プラズマ噴射器３１は、駆動アーム３２に保持されている。前処理部４１では、載置台３４上に基板３３が載せられ、プラズマを噴射している状態のプラズマ噴射器３１が駆動アーム３２により動かされる。プラズマ噴射器３１は、基板３３の上面を全面に亘ってプラズマ処理できるように、駆動アーム３２により基板３３の上方をジグザグに動かされる。前処理部４１では、プラズマ処理により基板３３の上面が全面に亘って改質される。
【００８９】
コーティング部４２は、図５（Ｂ）に示すように、コート剤滴下部３５と液滴処理部３６と回転台３８とモータ３９とを備えている。コート剤滴下部３５は、コーティング剤を貯留する貯留タンク３５ａと、該貯留タンク３５ａに入口端が接続された接続配管３５ｂとを備えている。接続配管３５ｂの出口端は、円板状の回転台３８の上方に位置している。コート剤滴下部３５は、貯留タンク３５ａ内のコーティング剤の液滴を回転台３８上に落下させる。液滴処理部３６は、プラズマ生成器により構成されている。液滴処理部３６は、接続配管３５ｂの出口端の下方において非平衡プラズマを形成する。液滴処理部３６は、図５（Ｃ）に示すように、接続配管３５ｂの出口端から落ちたコーティング剤の液滴が回転台３８に到達する前に、その液滴の表面を改質する。モータ３９は、改質された液滴が回転台３８上の基板３３に落下した後に回転台３８を回転させる。その結果、液滴が広がりコーティング層３７が形成される。
【００９０】
なお、実施形態２において、液滴処理部３６が、その内部でプラズマを生成し、液滴が通過する領域に活性種含有ガスを供給するようにしてもよい。この場合、液滴はプラズマに接触しない。
−実施形態２の効果−
【００９１】
本実施形態２では、活性種により表面張力及び粘性が低下した液滴が、活性種により親水性を向上させた基板３３（対象物）の表面に付着する。従って、基板３３の表面における液滴の付着性をさらに向上させることができる。
＜実施形態３＞
【００９２】
実施形態３は、フィルム材４９の被コーティング面を改質するプラズマ生成器７０を有するコーティング装置５０である。コーティング装置５０は、フィルム材４９の被コーティング面において特定の位置をプラズマ生成器７０により改質し、改質した位置だけにコーティング剤を付着させることにより、フィルム材４９の表面に任意の形状（図柄、文字等）のコート層を形成する。
【００９３】
コーティング装置５０は、図６に示すように、フィルム材４９の被コーティング面（図６では、上面）において任意の位置にプラズマを生成可能なプラズマ生成器７０と、該プラズマ生成器７０により表面改質された位置に付着させるコーティング剤をフィルム材４９の上面へ供給するコート剤供給装置５９とを備えている。
【００９４】
プラズマ生成器７０は、フィルム材４９の上面においてレーザ光の照射位置を調節可能なレーザ照射機構５２と、該レーザ照射機構５２によりレーザ光が照射される位置の電界強度をフィルム材４９の上面において相対的に強くする電磁波照射機構５１とを備えている。電磁波照射機構５１は、レーザ照射機構５２がレーザ光を照射中に、フィルム材４９の上面においてレーザ光の照射位置の電界強度が相対的に強くなるように、フィルム材４９に対して電磁波を照射する。
【００９５】
レーザ照射機構５２は、レーザを発振するレーザ発振器５６と、該レーザ発振器５６から出射されたレーザ光の反射方向を調節するための回転ミラー５７と、該回転ミラー５７で反射したレーザ光が通過する位置に配置された集光光学系（図示省略）と、回転ミラー５７を駆動制御する駆動装置７２とを備えている。レーザ照射機構５２は、レーザ発振器５６がレーザ光を発振中に、駆動装置７２により回転ミラー５７を回転駆動させることにより、フィルム材４９の上面におけるレーザ光の照射位置を変化させる。このとき、集光光学系は、フィルム材４９の上面にレーザ光を集光させる。
【００９６】
回転ミラー５７は、レーザ発振器５６が発振したレーザ光が所定の対象物に照射されるようにレーザ光を反射させる反射機構を構成している。実施形態３では、回転ミラー５７は、ポリゴンミラー５７である。また、集光光学系は、球面レンズ及びトロイダルレンズからなるｆθレンズである。また、フィルム材４９は、帯状に形成されている。フィルム材４９は、ロール部材７１に巻き掛けられ、ロール部材７１を回転させることで、上面がコート剤供給装置５９側へ移動してゆく。上面は、ロール部材７１の長さ方向へ移動する。レーザ照射機構５２は、フィルム材４９の移動方向の特定の位置において、該移動方向に直交するフィルム材４９の幅方向に沿うライン７５（以下、「レーザ照射ライン」という。）上の任意の位置にレーザ光を照射可能である。レーザ照射機構５２は、ロール部材７１の上面において幅方向に沿ってレーザの照射位置を調節可能である。
【００９７】
なお、レーザ照射機構５２は、ポリゴンミラー５７の傾きを調節可能としてもよい。これにより、レーザ照射ライン７５上だけでなく、該レーザ照射ライン７５に沿う帯状領域の任意の位置にレーザ光を照射可能となる。
【００９８】
電磁波照射機構５１は、レーザ照射機構５２によりレーザ光を照射可能な領域（実施形態３では、レーザ照射ライン７５上）の電界強度をフィルム材４９の上面において相対的に強くする。電磁波照射機構５１は、電磁波を発振する電磁波発振器５３（例えば、マグネトロン）と、該電磁波発振器５３から供給された電磁波を放射するためのアンテナ５５とを備えている。アンテナ５５は、同軸ケーブル５４を介して電磁波発振器５３に接続されている。アンテナ５５から電磁波が放射されると、レーザ照射ライン７５上、及びその近傍が強電界領域となる。例えば、アンテナ５５は、放射した電磁波がフィルム材４９の上面に照射されるように配置されている。
【００９９】
なお、アンテナ５５は、フィルム材４９におけるレーザ照射ライン７５の下方に配置してもよい。また、アンテナ５５は、強電界領域において電界強度が均一になるような形状（例えば、ジグザグ形状）であってもよい。
コーティング装置５０の動作について説明する。
【０１００】
コーティング装置５０は、ロール部材７１を回転させてフィルム材４９を移動させながら、レーザ照射機構５２、電磁波照射機構５１、及びコート剤供給装置５９を運転させる。レーザ照射機構５２は、予め設定された形状に従ってレーザ照射ライン７５上においてレーザの照射位置を変化させる。そうすると、電磁波照射機構５１の運転によりレーザ照射ライン７５上が強電界領域になっているので、レーザの照射位置にプラズマが形成される。レーザ照射機構５２は、フィルム材４９の上面においてレーザ光の照射位置を変化させて、レーザ光の照射位置に生成されるプラズマの位置を変化させる。フィルム材４９は、レーザ光の照射位置（プラズマ生成位置）が改質されて親水性及び接着性が向上する。このため、コート剤供給装置５９から吹き出されたコーティング剤が、フィルム材４９の上面の改質された位置だけに付着する。その結果、予め設定された図柄のコート層が形成される。
【０１０１】
なお、コート剤供給装置５９から吹き出されたコーティング剤が、フィルム材４９の上面に到達する前に活性種に接触させて、コーティング剤そのものを改質してもよい。
【０１０２】
また、電磁波照射機構５１は、フィルム材４９の上面におけるレーザ光の照射位置に応じて、照射する電磁波の特性（例えば、周波数、位相、振幅）を変化させるように構成されていてもよい。電磁波照射機構５１は、例えば、レーザ光の照射位置における電界強度が一定になるように、照射する電磁波の特性を変化させる。
【０１０３】
また、フィルム材４９上におけるレーザ照射ライン７５を覆うように、電磁波を共振させる共振空洞を内部に形成する共振容器を設けてもよい。アンテナ５５は、共振容器内に配置される。共振容器内は、レーザ照射ライン７５上が定在波（電磁波）の腹になるように形成されている。また、共振容器には、レーザ照射ライン７５に沿ってレーザ光を入射させるスリットが形成される。
＜その他の実施形態＞
【０１０４】
上述の実施形態及び変形例では、プラズマ生成器１２０が、高電圧パルスと電磁波とを併用する方式でプラズマを生成していたが、異なる方式でプラズマを生成してもよい。例えば、高電圧パルスによる放電に代えて、レーザによるブレイクダウン、フィラメント等の加熱による熱電子の供給を契機としてプラズマを生成してもよい。また、高電圧パルスと電磁波とを混合して陰極１６１へ供給してもよい。この場合、陰極１６１が電磁波放射用のアンテナとして機能する。また、誘電体バリア放電、沿面放電、ストリーマ放電、コロナ放電、アーク放電その他プラズマ生成方式もまた種々の方式でプラズマを生成してもよい。
【０１０５】
また、上述の実施形態及び変形例では、塗料をエア霧化式のスプレーガン１１０で噴射したが、高圧噴射式、二流体ノズル式、静電塗装用の回転霧化式等の異なる方式の塗料噴射装置をスプレーガンに代えて用いてもよい。静電塗装においては、プラズマの影響により電場分布が変化することが想定されるが、上述の実施形態のようにキャップ内でプラズマを生成すれば、電場分布の変化は微小である。
【産業上の利用可能性】
【０１０６】
本発明は、塗装被膜等の被膜を対象物の表面に形成する被膜形成装置に関して有用である。
【符号の説明】
【０１０７】
１００  塗装装置（被膜形成装置）
１１０  スプレーガン（液滴供給手段）
１２０  プラズマ生成器（活性種供給手段）
１６１  被塗装物（対象物）
【図１】
0005987150.tif 000002
【図２】
0005987150.tif 000003
【図３】
0005987150.tif 000004
【図４】
0005987150.tif 000005
【図５】
0005987150.tif 000006
【図６】
0005987150.tif 000007